(57)【要約】【課題】コンテンツ（音声・画像）配信サービスにおいて、配信途中あるいは配信先においてのコンテンツデータの不正なコピーに対する強力な保護と、コンテンツ配信サービス利用者のネットワーク環境と利用者の利用形態、特にネットワークの狭帯域対応などに合わせたコンテンツ配信サービスが可能になる、さらに書籍などの従来メディアに慣れた消費者をインターネットへ導きやすくなるコンテンツ配信サービスのビジネスモデルの提供が課題となる。【解決手段】コンテンツデータをいくつかのパターンに応じた複数のデータに分割し、インターネット等の伝送経路及びＣＤＲＯＭ・ＤＶＤ等を通じて、別々に利用者へ伝達する。分割したデータが利用者のもとに揃って初めて、データの合成、再生が行われる。【選択図】  図１
2004227536.tif 000002
【特許請求の範囲】
【請求項１】
コンテンツ（音声・画像）データをインターネット等の伝送経路を通じて配信するデータとＣＤＲＯＭ・ＤＶＤ等の記録媒体を通じて配信するデータに分割する手段として機能させることを特徴とするコンテンツデータ分割配信再生プログラム。
【請求項２】
コンテンツ（音声・画像）データをインターネット等の伝送経路を通じて配信するデータと予め異なる時間帯にインターネット等の伝送経路を通じて配信しておくデータに分割する手段として機能させることを特徴とするコンテンツデータ分割配信再生プログラム。
【請求項３】
請求項１のコンテンツ（音声・画像）データ分割配信再生プログラムを利用したコンテンツ（音声・画像）配信サービスのセキュリティを確保する手段。
【請求項４】
コンテンツデータを分割して別系統（インターネット等の伝送経路とメディア等による配送経路）で利用者に配布することで、配信データ容量が小さくなることによる配信者側の設備・運用コスト軽減手段。
【請求項５】
利用者がコンテンツに関する利用者自身の嗜好や視聴環境に応じた配信方法を選択できる手段。
【請求項６】
請求項５で得られた利用者情報に基づいてコンテンツの内容や配信方法を構成する手段。
【発明の詳細な説明】
【００１】
【発明の属する技術分野】コンテンツ（音声・画像）配信サービスにおいて、コンテンツの不正なコピーに対する強力な保護と、コンテンツ配信サービス利用者の環境と利用形態に合致したコンテンツ配信サービスのビジネスモデルの実現に関する技術分野である。
【００２】
【従来の技術】従来のコンテンツ配信サービス形態は、インターネット等の伝送経路による提供のみのもの、またはＣＤＲＯＭ・ＤＶＤ等の記憶媒体の配布による提供のみのものの、どちらか一方に限られていた。インターネット等の伝送経路での不正コピー防止技術としては暗号化が代表的である。しかし、暗号化の場合解読の危険性が常に可能性として残されている。ＣＤＲＯＭ・ＤＶＤ等の記憶媒体の配布はさらに不正コピーの可能性が高くなる。
【００３】
【発明が解決する課題】コンテンツ（音声・画像）配信サービスにおいて、配信途中あるいは配信先においてのコンテンツデータの不正なコピーに対する強力な保護と、コンテンツ配信サービス利用者のネットワーク環境と利用者の利用形態、特にネットワークの狭帯域対応などに合わせたコンテンツ配信サービスが可能になる、さらに書籍などの従来メディアに慣れた消費者をインターネットへ導きやすくなるコンテンツ配信サービスのビジネスモデルが課題となる。
【００４】
【課題を解決するための手段】Ｉ．技術的手段
コンテンツデータの不正コピーに対する強力な保護ならびに配信する伝送経路の帯域負担を軽減する技術的な手段としてのコンテンツデータ分割配信再生技術
【００５】
概要
本技術は、コンテンツ（音声・画像）のデータを分割する部分とそれを同期・非同期に伝達する部分と分割されたコンテンツを合成・再生する部分から構成される。この技術により、データの不正コピーなどに対するより強力な保護と視聴者の環境に合わせたコンテンツ配信が可能になる。
【００６】
データ分割部
１．  データを１つの基本部と２つ以上の残存部に分ける。音声データは、基本部と残存部に別れることもあるし、基本部のみ、または残存部のみの場合もある。
２．  基本部は、そのデータのみで、コンテンツとして意味のある内容（意味のある内容を具体的にするほうが良いのでは？）と意味をなさない内容に分かれる。
３．  基本部の画像データが意味のある内容になる場合には、次に示す基本部と残存部に分けられる。
（ア）基本部：白黒の輪郭部データ、残存部：色データ
（イ）基本部：データの高周波成分、残存部：データの低周波成分
（ウ）基本部：画面サイズの縮小データ、残存部：縮小時の間引きされたデータ
（エ）基本部：時間軸方向への間引き後のデータ、残存部：時間報告の間引きデータ
（オ）基本部：画像を１／ｎ分割して１画面分のデータ、残存部：残りのデータ（カ）基本部：画像を不定形の形でくり抜いたデータ、残存部：残りのデータ（キ）基本部：上記（ア）から（カ）までを混合したもの、残存部：基本部を取り除いた残りの部分。
４．  基本部の音声データが意味のある内容になる場合には、次に示す基本部と残存部に分けられる。
（ア）基本部：サンプリングレートで分けたデータ、残存部：残りのデータ
（イ）基本部：精度（Ｂｉｔ）で分けたデータ、残存部：残りのデータ
５．  基本部が意味をなさない場合は、基本部と残存部のデータの意味的分け方は無く、下記のような方法による。
（ア）基本部：データを位置情報、時間軸情報などランダムに固定量抽出したもの、残存部：基本部を取り除いた残りの部分。
６．  データ分割後、基本部、残存部にデータの圧縮を行う。
７．  データ分割後、基本部、残存部それぞれに同じまたは別の暗号化をかける。
【００７】
データ伝達部
１．  データが回線上を伝送される場合は、下記の方法による。
（ア）最初に残存部が伝送され、その後、基本部が伝送される。
（イ）時間軸方向にデータの整合性を保ちながら、基本部、残存部が伝送される。
（ウ）最初に基本部が伝送され、その後、残存部が転送される。
２．  基本部または残存部が回線による伝送でなくＣＤＲＯＭ、ＤＶＤなどによるメディア媒体により伝達される。この場合、媒体に入れなかったデータ（基本部または残存部）は回線による伝送により伝達される。
３．  基本部を伝送している場合において、基本部のデータが回線の状況に規定時間内に伝送不可と認識した場合は、上記のデータ分割部で記述した３．（ア）から（カ）の実行可能と判断される方法により基本部のデータをさらに少なくし伝送を行う。
４．  基本部分、残存部分とも、別のメディア媒体により伝達される。
【００８】
データ合成・再生部
１．基本部分データと残存データ部分が揃ったことにより、暗号の復号化、データの伸張、データの合成、データの再生が行われる。
２．再生時に視聴者の指定により、基本部と残存部の一部を使用した再生か、残存部全部を使用した再生かが選択できる。
３．再生時に、合成・再生部がシステムの状況を判断し、残存部の全部を再生できないと認識した場合には、基本部のみまたは残存部の一部再生を行う。
４．基本部のみをも再生できないシステム状況になった時は、合成・再生部が基本データを、上記のデータ分割部で記述した３．（ア）から（エ）の実行可能と判断される方法により基本部のデータをさらに少なくし再生を行う。
【００９】ＩＩ．ビジネスモデルとしての手段
利用者のネットワーク環境や利用携行に応じたコンテンツデータの分割配信再生オプションを用意することで不正コピー防止を最大限確保した上で、尚且つ利用者の視聴傾向にきめ細かに対応するビジネスモデルを確立する。
オリジナルのコンテンツデータ（図１の１）を上述Ｉの分割技術により２種類のデータに分割する（図１の４と５）。図１の４のデータは、インターネット等の伝送経路を通じて利用者に配信される（図１の１０）。図１の５のデータは、ＣＤＲＯＭあるいはＤＶＤ等の記憶媒体を予め郵送等により利用者に配布する（図１の１１）。
利用者は、インターネット等の伝送経路で受信したデータ（図１の６）と郵送等によって配送されたデータ（図１の７）を上述Ｉの合成技術で再生し、視聴する（図１の１２）。
【０１０】
【発明の実施の形態】利用者は、コンテンツ配信者に対して利用申し込みを行い、コンテンツ配信者は利用申込み者に対してコンテンツを視聴するための専用プレイヤーとユーザー・パスワードを配布する。それと同時に分割したコンテンツデータを格納したＣＤＲＯＭ・ＤＶＤ等の記録媒体を配信前に事前に配布する。利用者は、この記録媒体を自らのコンピュータに挿入しながらコンテンツ配信者からインターネット等の伝送経路を通じてコンテンツの配信を受け、視聴する。
【０１１】
【発明の効果】上記の方法をとれば、コンテンツ（音声・動画）配信サービス利用者は、インターネット等の伝送経路のみを利用した従来の方式では、再生するために、ダウンロードに多くの時間を要したり、伝送経路の環境によっては、高品位のコンテンツ配信を受けることが出来なかったのが、分割されたコンテンツデータの一方を、ＣＤＲＯＭ・ＤＶＤ等の記憶媒体で事前に配布することによって、高品位のコンテンツを見たいときにコンテンツ配信と併用で利用することが出来る。
【０１２】
コンテンツデータを分割して配信することによりインターネットの伝送経路でデータが不正コピーされても、そのデータだけでは視聴することは理論的に不可能であるためコンテンツに対するセキュリティが格段に向上する。
大量のデータを配信する必要が無い為、既存の高価な配信専用サーバーや高速ハードディスク等が必ずしも必要ではなくなる。そのため配信側の設備・運用コストも軽減される。
本発明のビジネスモデルでは、予め視聴者に分割したコンテンツデータの一方を配布する方式であるため、残存部と基本部が揃い、かつその構成方法がわからないとコンテンツとして成立しない為、強力なコンテンツの保護機能といえる。
【０１３】
基本部を伝送する場合、視聴者は、コンテンツを視聴する際に必ず配信側とオンライン接続される為、配信側が必要となる視聴ログなどのデータが従来のＤＶＤのみなどのオフラインによる場合よりも格段に入手しやすくなる。また、オンラインのための商品販売などのインターネットモールなどへの誘導がしやすくなり、より付加価値の高いものが視聴者に提供可能となる。
【０１４】
残存部をオフラインで視聴者に届ける場合、雑誌の付録などにすると従来のマーケットチャネルが使用できるため開拓済みのマーケットチャネルを使用して、インターネットを通じたコンテンツやそれに付随する付加情報を視聴者に届けることが容易になる。従来のメディアに慣れたユーザーをインターネットに導きやすく出来る。
【図面の簡単な説明】
【図１】本発明におけるコンテンツデータ配信形態と経路のフローチャート図
【符号の説明】
１    オリジナルのコンテンツデータ（音声・画像）
２    配信サーバー
３    利用者（コンテンツデータ受信者）の端末
４    分割され配信サーバーに格納されたコンテンツデータ
５    分割されＣＤＲＯＭ・ＤＶＤ等の記録媒体に格納されたコンテンツデータ
６    インターネット等の伝送経路を通じて受信した分割されているコンテンツデータ
７    ＣＤＲＯＭ・ＤＶＤ等の記録媒体で配布された分割されているコンテンツデータ
８    コンテンツ分割技術によるコンテンツデータの分割
９    コンテンツ分割技術によるコンテンツデータの分割
１０  インターネット等の伝送経路
１１  電子的配信以外の手段による配送（郵送等）
１２  コンテンツ再生技術によるコンテンツデータの合成
１３  コンテンツ再生技術によるコンテンツデータの合成
１４  合成された視聴可能なコンテンツデータ
【図１】
2004227536.tif 000003